(57)【要約】【課題】血圧などの生体のバイタル情報の測定の完了を視認性良く表示する。【解決手段】生体のバイタル情報を表示するモニター装置１００であって、モニター装置１００の表示部１２０には、少なくとも２種類の生体のバイタル情報が個別に表示される複数の表示領域１３０、１４０、１５０が形成され、各表示領域１３０、１４０、１５０は、測定された生体のバイタル情報を数値として表示する数値表示部１３２、１４２、１５２とバイタル情報の測定が完了した後に測定の完了を報知するタブ部１３４、１４４、１５４とを有し、各表示領域１３０、１４０、１５０のタブ部１３４、１４４、１５４は、数値表示部１３２、１４２、１５２の配列に沿って一列に配置されている。【選択図】図１
2020049063.tif 000002
【特許請求の範囲】
【請求項１】
生体のバイタル情報を表示する生体モニター装置であって、
前記生体モニター装置の表示部には、前記生体の少なくとも２種類の前記バイタル情報が個別に表示される複数の表示領域が形成され、
各表示領域は、測定された前記生体の前記バイタル情報を数値として表示する数値表示部と前記バイタル情報の前記測定が完了した後に前記測定の完了を報知するタブ部とを有し、
前記各表示領域の前記タブ部は、各数値表示部の配列に沿って一列に配置されている、生体モニター装置。
【請求項２】
前記タブ部は、前記バイタル情報の前記測定が完了した後に点灯または点滅により前記測定の完了を報知する、請求項１に記載の生体モニター装置。
【請求項３】
前記タブ部は、前記測定される前記バイタル情報の種類が文字によって表示され、前記バイタル情報の前記測定が完了するまでは前記文字が点灯または点滅され、前記測定が完了した後は、前記タブ部の前記文字以外の部分が点灯または点滅される、請求項１または２に記載の生体モニター装置。
【請求項４】
前記各表示領域の前記数値表示部に表示される数字の色と前記タブ部の色とは同一の色である、請求項１から３のいずれかに記載の生体モニター装置。
【請求項５】
前記タブ部は、各表示領域の幅方向に延びるように設けられている、請求項１から４のいずれかに記載の生体モニター装置。
【請求項６】
前記各表示領域は、前記測定される前記バイタル情報の種類の数に応じて、それぞれの表示面積が変更される、請求項１から５のいずれかに記載の生体モニター装置。
【請求項７】
前記全ての表示領域は前記表示部内に表示される、請求項１から６のいずれかに記載の生体モニター装置。
【発明の詳細な説明】
【技術分野】
【０００１】
本発明は、血圧などの生体のバイタル情報の測定の完了を視認性良く表示できる生体モニター装置に関する。
【背景技術】
【０００２】
従来、たとえば、手術後の患者またはカテーテルの治療後の患者のベッドサイドに、ベッドサイドモニターと言われる生体モニター装置を設置し、患者の容態の変化を常時監視することが行われている。
【０００３】
一方、容態が回復しつつある患者はベッドサイドモニターによる常時監視は必要ないものの、血圧などの患者のバイタル情報を定期的にチェックする必要がある。このため、最近では、定期的に病室を巡回する看護師などの医療従事者が、スポットチェックモニターと言われる生体モニター装置を用いて患者のバイタル情報を測定し、電子カルテに送信するということが行われている。
【先行技術文献】
【特許文献】
【０００４】
【特許文献１】特開２００４−１９４９９６号公報
【発明の概要】
【発明が解決しようとする課題】
【０００５】
しかし、医療従事者は、病室を忙しく巡回しながら複数の患者のバイタル情報を測定するため、どの患者のバイタル情報の測定が完了したのかを、生体モニター装置の表示を見ただけでは認識し難い。生体モニター装置には測定が完了したバイタル情報、測定中のバイタル情報が数値表示されるようになっている。そのため、測定が完了したのか、測定中であるのかは、その数値表示をしっかりと見なければならず、一目で感覚的にわかるものではない。
【０００６】
そこで、本発明は、血圧などの生体のバイタル情報の測定の完了を視認性良く表示できる生体モニター装置の提供を目的とする。
【課題を解決するための手段】
【０００７】
上記目的を達成するための生体モニター装置は、生体のバイタル情報を表示する生体モニター装置であって、生体モニター装置の表示部には、生体の少なくとも２種類のバイタル情報が個別に表示される複数の表示領域が形成され、各表示領域は、測定された生体のバイタル情報を数値として表示する数値表示部と前記バイタル情報の測定が完了した後に前記測定の完了を報知するタブ部とを有し、各表示領域のタブ部は、各数値表示部の配列に沿って一列に配置されている。
【発明の効果】
【０００８】
本発明の生体モニター装置によれば、患者のバイタル情報の測定が完了すると、数値表示部に数値が表示されることに加えて、数値表示部の配列に沿って一列に配列されているタブ部に測定の完了が表示される。このため、患者のバイタル情報の測定の完了が視認性良く表示される。特に、タブ部は、一列に配列されているので、全てのバイタル情報の測定が完了すると、全ての表示領域のタブ部が一斉にその完了を報知するので、一目で感覚的に測定の完了を認識できる。
【図面の簡単な説明】
【０００９】
【図１】実施形態１の生体モニター装置の外観図である。
【図２】実施形態１の生体モニター装置の制御部のブロック図である。
【図３】実施形態１の生体モニター装置の動作フローチャートである。
【図４】実施形態１の生体モニター装置の測定前の表示部を示す図である。
【図５】実施形態１の生体モニター装置の測定完了時の表示部を示す図である。
【図６】実施形態１の生体モニター装置の測定完了後の表示部を示す図である。
【図７】実施形態１の生体モニター装置の一部の測定が未完了である時の表示部を示す図である。
【図８】実施形態２の生体モニター装置の動作フローチャートである。
【図９】実施形態２の生体モニター装置の測定前の表示部を示す図である。
【図１０】実施形態２の生体モニター装置の測定完了時の表示部を示す図である。
【図１１】実施形態２の生体モニター装置の測定完了後の表示部を示す図である。
【図１２】実施形態２の生体モニター装置の一部の測定が未完了である時の表示部を示す図である。
【発明を実施するための形態】
【００１０】
次に、本発明の生体モニター装置の実施形態を、［実施形態１］と［実施形態２］とに分けて説明する。
【００１１】
［実施形態１］
＜生体モニター装置の構成＞
図１は、実施形態１の生体モニター装置の外観図である。生体モニター装置１００は、看護師などの医療従事者が病室に持回りやすいように、携帯用のハンドル１１０を備えている。生体モニター装置１００は、その前面側に、患者の非観血血圧（ＮＩＢＰ）、動脈血酸素飽和度（ＳｐＯ２）、脈拍数（ＳｐＯ２−ＰＲ）、体温（ＴＥＭＰ）などのバイタル情報を表示する表示部１２０を備えている。
【００１２】
生体モニター装置１００の表示部１２０には、患者の少なくとも２種類のバイタル情報が個別に表示される複数の表示領域１３０、１４０、１５０が形成されている。具体的には、患者の非観血血圧（ＮＩＢＰ）を表示する表示領域１３０、患者の動脈血酸素飽和度（ＳｐＯ２）および脈拍数（ＳｐＯ２−ＰＲ）を表示する表示領域１４０、患者の体温（ＴＥＭＰ）を表示する表示領域１５０が形成されている。
【００１３】
各表示領域１３０、１４０、１５０は、測定された患者のバイタル情報を数値として表示する数値表示部１３２、１４２、１５２と、バイタル情報の測定が完了した後に測定の完了を報知するタブ部１３４、１４４、１５４を有している。各表示領域１３０、１４０、１５０のタブ部１３４、１４４、１５４は、各数値表示部１３２、１４２、１５２の配列に沿って一列に配置されている。
【００１４】
タブ部１３４、１４４、１５４は、それぞれの表示領域１３０、１４０、１５０において、数値表示部１３２、１４２、１５２の上面側に、それぞれの表示領域１３０、１４０、１５０の横幅方向に延びるように設けられている。本実施形態では、タブ部１３４、１４４、１５４の横幅を、各表示領域１３０、１４０、１５０の横幅とはほぼ同じ横幅としている。なお、本実施形態では、タブ部１３４、１４４、１５４を、数値表示部１３２、１４２、１５２の上面側に設けているが、数値表示部１３２、１４２、１５２の下面側に設けても良い。また、タブ部１３４、１４４、１５４の横幅は、各表示領域１３０、１４０、１５０の横幅よりも短くしても良い。また、タブ部１３４、１４４、１５４の上下左右に測定が完了したことを示すタブや表示手段を別途設けてもよい。
【００１５】
タブ部１３４、１４４、１５４は、バイタル情報の測定が完了した後に、点灯または点滅する。バイタル情報の測定の完了を報知するためである。タブ部１３４、１４４、１５４には、測定されるバイタル情報の種類が文字によって表示される。具体的には、タブ部１３４のように、測定されるバイタル情報が患者の非観血血圧であれば「ＮＩＢＰ」という文字が、タブ部１４４のように、測定されるバイタル情報が患者の動脈血酸素飽和度および脈拍数であれば「ＳｐＯ２」および「ＳｐＯ２−ＰＲ」という文字が、タブ部１５４のように、測定されるバイタル情報が患者の体温であれば「ＴＥＭＰ」という文字が表示される。
【００１６】
これらのタブ部１３４、１４４、１５４の文字は、それぞれのバイタル情報の測定が完了するまでは点灯または点滅される。一方、測定が完了した後は、各タブ部１３４、１４４、１５４の文字以外の部分が点灯または点滅される。本実施形態では、各表示領域１３０、１４０、１５０の各数値表示部１３２、１４２、１５２に表示されるそれぞれの数字の色とそれぞれのタブ部１３４、１４４、１５４の色とは同一の色にしている。
【００１７】
たとえば、表示領域１３０の数値表示部１３２に表示される文字の色がエンジであれば、表示領域１３０のタブ部１３４の色（タブ部の文字を含む）もエンジである。また、表示領域１４０の数値表示部１４２に表示される文字の色がブルーであれば、表示領域１４０のタブ部１４４の色（タブ部の文字を含む）もブルーである。さらに、表示領域１５０の数値表示部１５２に表示される文字の色がオレンジであれば、表示領域１５０のタブ部１５４の色（タブ部の文字を含む）もオレンジである。
【００１８】
なお、各表示領域１３０、１４０、１５０の各数値表示部１３２、１４２、１５２に表示されるそれぞれの数字の色とそれぞれのタブ部１３４、１４４、１５４の色とを異なる色としても良い。また、各タブ部１３４、１４４、１５４の色は、例示したこれらの色に限らず、これら以外の色を用いても良い。各タブ部１３４、１４４、１５４の色は、バイタル情報の測定が完了したことを一目で感覚的に認識できるようにするために、同一色としてもよいし、それぞれ異なる色としてもよい。
【００１９】
各表示領域１３０、１４０、１５０は、測定されるバイタル情報の種類の数に応じて、それぞれの表示面積が変更される。本実施形態では、測定されるバイタル情報の種類の数は３であるので、図１に示すように、３つの全ての表示領域１３０、１４０、１５０は、表示部１２０が３つに分割されて表示部１２０内に表示される。後述するように、測定されるバイタル情報の種類の数が２つの場合には、２つの表示領域は表示部１２０が２つに分割されて表示部１２０内に表示される。測定されるバイタル情報の種類の数が４つ以上の場合にも同様に、表示部１２０が４つ以上に分割されて表示部１２０内に表示される。
【００２０】
図２は、実施形態１の生体モニター装置１００の制御部のブロック図である。生体モニター装置１００は、入力インターフェース１０２、計測部１０４、表示制御部１０６、表示部１２０を有する。
【００２１】
入力インターフェース１０２は、患者の非観血血圧を計測するために患者の腕に巻き付けるカフ（圧力トランスデューサー）１６０、患者の動脈血酸素飽和度「ＳｐＯ２」および脈拍数「ＳｐＯ２−ＰＲ」を測定するために患者の指先に装着するＳｐＯ２センサ１７０、および患者の体温を計測する体温計１８０を接続し、患者のこれらのバイタル情報を入力する。
【００２２】
計測部１０４は、入力インターフェース１０２を介して入力した、患者の非観血血圧、患者の動脈血酸素飽和度「ＳｐＯ２」および脈拍数「ＳｐＯ２−ＰＲ」、患者の体温などのバイタル情報を入力し、悲観血圧の最高値および最低値、動脈血酸素飽和度「ＳｐＯ２」および脈拍数「ＳｐＯ２−ＰＲ」、体温を計測する。
【００２３】
表示制御部１０６は、計測部１０４によって計測された、悲観血圧の最高値および最低値、動脈血酸素飽和度「ＳｐＯ２」および脈拍数「ＳｐＯ２−ＰＲ」、体温を、表示部１２０に表示させるための制御をする。
【００２４】
表示部１２０は、生体モニター装置１００に、図１に示したような表示形態で悲観血圧の最高値および最低値、動脈血酸素飽和度「ＳｐＯ２」および脈拍数「ＳｐＯ２−ＰＲ」、体温などのバイタル情報を表示させる。
【００２５】
＜生体モニター装置の動作＞
図３は、実施形態１の生体モニター装置１００の動作フローチャートである。図４は、実施形態１の生体モニター装置１００の測定前の表示部１２０を示す図である。図５は、実施形態１の生体モニター装置１００の測定完了時の表示部１２０を示す図である。図６は、実施形態１の生体モニター装置１００の測定完了後の表示部１２０を示す図である。図７は、実施形態１の生体モニター装置１００の一部の測定が未完了である時の表示部１２０を示す図である。次に、図４から図７を参照しつつ、生体モニター装置１００の動作について説明する。
【００２６】
まず、看護師などの医療従事者は、カフ１６０を患者の腕に巻き付け、ＳｐＯ２センサ１７０を患者の指先に装着し、体温計１８０を患者の脇の下に挟み、患者のバイタル情報の測定を開始する。生体モニター装置１００の測定前の表示部１２０の表示は図４に示す通りである。すなわち、各表示領域１３０、１４０、１５０の各数値表示部１３２、１４２、１５２には、測定前であるので、数値は表示されず、タブ部１３４、１４４、１５４には、バイタル情報の種類を示す文字が、それぞれ決められている色で表示される。バイタル情報の種類を示す文字は、バイタル情報の測定が完了するまでは点灯または点滅される。
【００２７】
生体モニター装置１００の計測部１０４は、入力インターフェース１０２を介して、カフ１６０の圧力トランスデューサーから患者の非観血血圧を、ＳｐＯ２センサ１７０から動脈血酸素飽和度「ＳｐＯ２」および脈拍「ＳｐＯ２−ＰＲ」を、そして体温計１８０から患者の体温をそれぞれ入力する。そして、計測部１０４は、入力されたこれらのバイタル情報から、患者の非観血血圧の最高値および最低値、動脈血酸素飽和度「ＳｐＯ２」および脈拍数「ＳｐＯ２−ＰＲ」、体温を測定する（Ｓ１００）。
【００２８】
次に、計測部１０４は、全てのバイタル情報の測定が完了したか否かを判断する（Ｓ１０１）。測定が完了していなければ（Ｓ１０１：ＮＯ）、計測部１０４は、これらのバイタル情報の計測を継続する。測定が完了していれば（Ｓ１０１：ＹＥＳ）、次に、計測部１０４は、測定されたバイタル情報に、測定エラーがないかどうかを判断する（Ｓ１０２）。
【００２９】
全てのバイタル情報の測定に測定エラーがなければ（Ｓ１０２：ＹＥＳ）、計測部１０４は、測定された患者の非観血血圧の最高値および最低値、動脈血酸素飽和度「ＳｐＯ２」および脈拍数「ＳｐＯ２−ＰＲ」、体温を、表示部１２０に表示させるように表示制御部１０６に指令する。表示部１２０は、表示制御部１０６の指示により、患者の非観血血圧の最高値および最低値、動脈血酸素飽和度「ＳｐＯ２」および脈拍数「ＳｐＯ２−ＰＲ」、体温の各値を数値によって表示する（Ｓ１０３）。
【００３０】
次に、表示部１２０は、表示制御部１０６の指示により、患者の非観血血圧の最高値および最低値、動脈血酸素飽和度「ＳｐＯ２」および脈拍数「ＳｐＯ２−ＰＲ」、体温の数値表示部の上に設けられているタブ部を、それぞれ決められている色に着色して表示する（Ｓ１０４）。
【００３１】
生体モニター装置１００の測定完了時の表示部１２０の表示は図５に示す通りである。すなわち、各表示領域１３０、１４０、１５０の各数値表示部１３２、１４２、１５２には、測定されたそれぞれのバイタル情報の数値が表示され、タブ部１３４、１４４、１５４の文字以外の部分が、それぞれ決められている色に着色されて、点灯または点滅される。タブ部１３４、１４４、１５４は、各数値表示部１３２、１４２、１５２の配列に沿って一列に配置されているので、患者のバイタル情報の測定の完了が視認性良く表示されることとなり、全てのバイタル情報の測定が完了を、一目で感覚的に認識できる。
【００３２】
なお、測定が完了した後には、医療従事者が、患者のバイタル情報を、手動で入力することもできる。たとえば、図６に示すように、体重欄１３６に患者の体重（ｗｅｉｇｈｔ）８５．００を、そして、身長欄１３８に患者の身長（ｈｉｇｈｔ）１８０．００などが手動で入力できる。このように入力動作を完了させた際には、測定が完了したバイタル情報が消去され、タブ部１３４、１４４、１５４が着色されて表示されなくなる。それにより、医療従事者は、新たな患者においてバイタル情報の測定を開始する際に、既に測定が完了し終えたものと誤認することなく、一目で感覚的に認識できる。
【００３３】
一方、いずれかのバイタル情報の測定に測定エラーがあれば（Ｓ１０２：ＮＯ）、計測部１０４は、患者の非観血血圧の最高値および最低値、動脈血酸素飽和度「ＳｐＯ２」および脈拍数「ＳｐＯ２−ＰＲ」、体温の内の、測定エラーのないものを、表示部１２０に表示させるように表示制御部１０６に指令する。表示部１２０は、表示制御部１０６の指示により、測定エラーのないもの、たとえば、患者の非観血血圧の最高値および最低値および体温の各値を数値によって表示する（Ｓ１０５）。
【００３４】
次に、表示部１２０は、表示制御部１０６の指示により、患者の非観血血圧の最高値および最低値、動脈血酸素飽和度「ＳｐＯ２」および脈拍数「ＳｐＯ２−ＰＲ」、体温の数値表示部の上に設けられているタブ部の内の、測定エラーのないもののタブ部を、それぞれ決められている色に着色して表示する。たとえば、患者の非観血血圧の最高値および最低値および体温の数値表示部の上に設けられているタブ部１３４、１５４を、それぞれ決められている色に着色して表示する（Ｓ１０６）。
【００３５】
生体モニター装置１００の一部の測定が未完了である時の表示部１２０の表示は図７に示す通りである。たとえば、患者の動脈血酸素飽和度「ＳｐＯ２」および脈拍数「ＳｐＯ２−ＰＲ」の測定に、測定忘れや測定不能などのエラーがあった時には、表示領域１３０、１５０に測定されたそれぞれのバイタル情報の数値が表示され、タブ部１３４、１５４の文字以外の部分が、それぞれ決められている色に着色されて、点灯または点滅される。
したがって、動脈血酸素飽和度「ＳｐＯ２」および脈拍数「ＳｐＯ２−ＰＲ」の数値表示部１４２には数値が表示されず、タブ部１４４には、「ＳｐＯ２」、「ＳｐＯ２−ＰＲ」の文字が表示されているものの、タブ部１４４は決められている色に着色して表示されることはない。タブ部１３４、１４４、１５４は、各数値表示部１３２、１４２、１５２の配列に沿って一列に配置されているので、患者のバイタル情報の一部の測定が未完了であると、その一部のタブが着色されて表示されなくなるので、医療従事者は、一部の測定が未完了であることを、一目で感覚的に認識できる。
【００３６】
［実施形態２］
次に、実施形態２の生体モニター装置について説明する。実施形態２は、生体モニター装置の表示部に２つの表示領域が設けられる場合の実施形態である。
【００３７】
＜生体モニター装置の構成＞
本実施形態の生体モニター装置の構成は、実施形態１の生体モニター装置１００の構成とほぼ同じである。異なっているのは、体温計１８０が生体モニター装置１００に接続されていないことと、患者の体温に関するバイタル情報の表示がされないことである。なお、実施形態２の生体モニター装置の構成は、実施形態１の生体モニター装置１００の構成とほぼ同じであるので、実施形態２の生体モニター装置の構成要素の符号は生体モニター装置１００構成要素の符号と同一の符号を用いる。
【００３８】
＜生体モニター装置の動作＞
図８は、実施形態２の生体モニター装置の動作フローチャートである。図９は、実施形態２の生体モニター装置の測定前の表示部を示す図である。図１０は、実施形態２の生体モニター装置の測定完了時の表示部を示す図である。図１１は、実施形態２の生体モニター装置の測定完了後の表示部を示す図である。図１２は、実施形態２の生体モニター装置の一部の測定が未完了である時の表示部を示す図である。次に、図９から図１２を参照しつつ、生体モニター装置の動作について説明する。
【００３９】
まず、表示制御部１０６は、生体モニター装置１００に接続されている機器が、カフ１６０とＳｐＯ２センサ１７０の２つであることを受けて、表示部１２０の表示面積をほぼ２分割し、非観血血圧と動脈血酸素飽和度「ＳｐＯ２」および脈拍数「ＳｐＯ２−ＰＲ」の表示領域を作成する。たとえば、図９に示すように、非観血血圧と動脈血酸素飽和度「ＳｐＯ２」および脈拍数「ＳｐＯ２−ＰＲ」の表示領域を作成する（Ｓ２００）。
【００４０】
次に、看護師などの医療従事者は、カフ１６０を患者の腕に巻き付け、ＳｐＯ２センサ１７０を患者の指先に装着し、患者のバイタル情報の測定を開始する。生体モニター装置１００の測定前の表示部１２０の表示は図９に示す通りである。すなわち、各表示領域１３０、１４０の各数値表示部１３２、１４２には、測定前であるので、数値は表示されず、タブ部１３４、１４４には、バイタル情報の種類を示す文字が、それぞれ決められている色で表示される。バイタル情報の種類を示す文字は、バイタル情報の測定が完了するまでは点灯または点滅される。
【００４１】
生体モニター装置１００の計測部１０４は、入力インターフェース１０２を介して、カフ１６０の圧力トランスデューサーから患者の非観血血圧を、ＳｐＯ２センサ１７０から動脈血酸素飽和度「ＳｐＯ２」および脈拍「ＳｐＯ２−ＰＲ」をそれぞれ入力する。そして、計測部１０４は、入力されたこれらのバイタル情報から、患者の非観血血圧の最高値および最低値、動脈血酸素飽和度「ＳｐＯ２」および脈拍数「ＳｐＯ２−ＰＲ」を測定する（Ｓ２０１）。
【００４２】
次に、計測部１０４は、全てのバイタル情報の測定が完了したか否かを判断する（Ｓ２０２）。測定が完了していなければ（Ｓ２０２：ＮＯ）、計測部１０４は、これらのバイタル情報の計測を継続する。測定が完了していれば（Ｓ２０２：ＹＥＳ）、次に、計測部１０４は、測定されたバイタル情報に、測定エラーがないかどうかを判断する（Ｓ２０３）。
【００４３】
全てのバイタル情報の測定に測定エラーがなければ（Ｓ２０３：ＹＥＳ）、計測部１０４は、測定された患者の非観血血圧の最高値および最低値、動脈血酸素飽和度「ＳｐＯ２」および脈拍数「ＳｐＯ２−ＰＲ」を、表示部１２０に表示させるように表示制御部１０６に指令する。表示部１２０は、表示制御部１０６の指示により、患者の非観血血圧の最高値および最低値、動脈血酸素飽和度「ＳｐＯ２」および脈拍数「ＳｐＯ２−ＰＲ」の各値を数値によって表示する（Ｓ２０４）。
【００４４】
次に、表示部１２０は、表示制御部１０６の指示により、患者の非観血血圧の最高値および最低値、動脈血酸素飽和度「ＳｐＯ２」および脈拍数「ＳｐＯ２−ＰＲ」の数値表示部の上に設けられているタブ部を、それぞれ決められている色に着色して表示する（Ｓ２０５）。
【００４５】
生体モニター装置１００の測定完了時の表示部１２０の表示は図１０に示す通りである。すなわち、各表示領域１３０、１４０の各数値表示部１３２、１４２には、測定されたそれぞれのバイタル情報の数値が表示され、タブ部１３４、１４４の文字以外の部分が、それぞれ決められている色に着色されて、点灯または点滅される。タブ部１３４、１４４は、各数値表示部１３２、１４２の配列に沿って一列に配置されているので、患者のバイタル情報の測定の完了が視認性良く表示されることとなり、全てのバイタル情報の測定が完了を、一目で感覚的に認識できる。
【００４６】
なお、測定が完了した後には、医療従事者が、患者のバイタル情報を、手動で入力することもできる。たとえば、図１１に示すように、体重欄１３６に患者の体重（ｗｅｉｇｈｔ）８５．００を、そして、身長欄１３８に患者の身長（ｈｉｇｈｔ）１８０．００などが手動で入力できる。このように入力動作を完了させた際には、測定が完了したバイタル情報が消去され、タブ部１３４、１４４が着色されて表示されなくなる。それにより、医療従事者は、新たな患者においてバイタル情報の測定を開始する際に、既に完了し終えたものと誤認することなく、一目で感覚的に認識できる。
【００４７】
一方、いずれかのバイタル情報の測定に測定エラーがあれば（Ｓ２０３：ＮＯ）、計測部１０４は、患者の非観血血圧の最高値および最低値、動脈血酸素飽和度「ＳｐＯ２」および脈拍数「ＳｐＯ２−ＰＲ」の内の、測定エラーのないものを、表示部１２０に表示させるように表示制御部１０６に指令する。表示部１２０は、表示制御部１０６の指示により、測定エラーのないもの、たとえば、患者の非観血血圧の最高値および最低値を数値によって表示する（Ｓ２０６）。
【００４８】
次に、表示部１２０は、表示制御部１０６の指示により、患者の非観血血圧の最高値および最低値、動脈血酸素飽和度「ＳｐＯ２」および脈拍数「ＳｐＯ２−ＰＲ」の数値表示部の上に設けられているタブ部の内の、測定エラーのないもののタブ部を、それぞれ決められている色に着色して表示する。たとえば、患者の非観血血圧の最高値および最低値の数値表示部の上に設けられているタブ部１３４を、決められている色に着色して表示する（Ｓ２０７）。
【００４９】
生体モニター装置１００の一部の測定が未完了である時の表示部１２０の表示は図１１に示す通りである。たとえば、患者の動脈血酸素飽和度「ＳｐＯ２」および脈拍数「ＳｐＯ２−ＰＲ」の測定に、測定忘れや測定不能などのエラーがあった時には、表示領域１３０に測定されたバイタル情報の数値が表示され、タブ部１３４の文字以外の部分が、それぞれ決められている色に着色されて、点灯または点滅される。したがって、動脈血酸素飽和度「ＳｐＯ２」および脈拍数「ＳｐＯ２−ＰＲ」の数値表示部１４２には数値が表示されず、タブ部１４４には、「ＳｐＯ２」、「ＳｐＯ２−ＰＲ」の文字が表示されているものの、タブ部１４４は決められている色に着色して表示されることはない。タブ部１３４、１４４は、各数値表示部１３２、１４２の配列に沿って一列に配置されているので、患者のバイタル情報の一部の測定が未完了であると、その一部のタブが着色されて表示されなくなるので、医療従事者は、一部の測定が未完了であることを、一目で感覚的に認識できる。
【００５０】
以上、実施形態１および２のように、本発明の生体モニター装置によれば、患者のバイタル情報の測定が完了すると、数値表示部に数値が表示されることに加えて、数値表示部の配列に沿って一列に配列されているタブ部に測定の完了が表示される。このため、患者のバイタル情報の測定の完了が視認性良く表示される。特に、タブ部は、一列に配列されているので、全てのバイタル情報の測定が完了すると、全ての表示領域のタブ部が一斉にその完了を報知するので、一目で測定の完了を認識できるようになる。このため医療従事者は、バイタル情報の測定忘れや測定不良などの測定不良が一目で容易に認識できるようになる。
【符号の説明】
【００５１】
１００  生体モニター装置、
１０２  入力インターフェース、
１０４  計測部、
１０６  表示制御部、
１１０  ハンドル、
１２０  表示部、
１３０、１４０、１５０  表示領域、
１３２、１４２、１５２  数値表示部、
１３４、１４４、１５４  タブ部、
１３６  体重欄、
１３８  身長欄、
１６０  カフ（圧力トランスデューサー）、
１７０  ＳｐＯ２センサ、
１８０  体温計。
【図１】
2020049063.tif 000003
【図２】
2020049063.tif 000004
【図３】
2020049063.tif 000005
【図４】
2020049063.tif 000006
【図５】
2020049063.tif 000007
【図６】
2020049063.tif 000008
【図７】
2020049063.tif 000009
【図８】
2020049063.tif 000010
【図９】
2020049063.tif 000011
【図１０】
2020049063.tif 000012
【図１１】
2020049063.tif 000013
【図１２】
2020049063.tif 000014